(57)【要約】      （修正有）【課題】エーロフォイルとシュラウドとの隣接部分の間のギャップを画定することによってベーンシュラウド組立体内の応力を低減し、それによって固定力からの応力は、シュラウドの一部分内で解放されるシステムおよび方法を提供する。【解決手段】エーロフォイルは、接触面およびほぞを含む遠位端を備える。シュラウドは、エーロフォイルとの接触面を備え、ほぞを収容する。取付デバイスは、エーロフォイルとシュラウド接触面との間の固定力を、シュラウドを介して提供し、ギャップは、シュラウド上の応力を低減するために働く。【選択図】図１
2018021549.tif 000002
【特許請求の範囲】
【請求項１】
ベース端部（１２２）および遠位端（１２４、４１２）を有するエーロフォイル（１２０、４１０、５１０、６１０、７１０、８１０、９１０、１０１０、１１１０、１２１０、１２１２、１２１４、１３１０）であって、前記遠位端（１２４、４１２）が、シュラウド（１３０、４３０、５３０、６３０、７３０、８３０、９３０、１０３０、１１３０、１２３０、１３３０）接触面およびほぞ（４２０、５２０、６２０、７２０、８２０、９２０、１０２０、１１２０、１３２０）を備えるエーロフォイル（１２０、４１０、５１０、６１０、７１０、８１０、９１０、１０１０、１１１０、１２１０、１２１２、１２１４、１３１０）と、
前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面と接触する第１の接触面と、固定力を受けるための第２の接触面とを有するシュラウド（１３０、４３０、５３０、６３０、７３０、８３０、９３０、１０３０、１１３０、１２３０、１３３０）であって、前記固定力の少なくとも一部分（４５２）が前記第１の接触面を介して前記エーロフォイル（１２０、４１０、５１０、６１０、７１０、８１０、９１０、１０１０、１１１０、１２１０、１２１２、１２１４、１３１０）に移されるシュラウド（１３０、４３０、５３０、６３０、７３０、８３０、９３０、１０３０、１１３０、１２３０、１３３０）と、
前記シュラウド（１３０、４３０、５３０、６３０、７３０、８３０、９３０、１０３０、１１３０、１２３０、１３３０）に前記エーロフォイル（１２０、４１０、５１０、６１０、７１０、８１０、９１０、１０１０、１１１０、１２１０、１２１２、１２１４、１３１０）を取付け、前記固定力を提供する取付デバイス（１５０、４５０、５５０、６５０、７５０、８５０、９５０、１０５０、１１５０）とを備え、
前記エーロフォイル（１２０、４１０、５１０、６１０、７１０、８１０、９１０、１０１０、１１１０、１２１０、１２１２、１２１４、１３１０）の前記遠位端（１２４、４１２）および前記シュラウド（１３０、４３０、５３０、６３０、７３０、８３０、９３０、１０３０、１１３０、１２３０、１３３０）は、前記エーロフォイル（１２０、４１０、５１０、６１０、７１０、８１０、９１０、１０１０、１１１０、１２１０、１２１２、１２１４、１３１０）と前記シュラウド（１３０、４３０、５３０、６３０、７３０、８３０、９３０、１０３０、１１３０、１２３０、１３３０）との隣接した部分間のギャップを画定し、前記固定力からの応力が前記シュラウド（１３０、４３０、５３０、６３０、７３０、８３０、９３０、１０３０、１１３０、１２３０、１３３０）の一部分（４５２）内で解放されることを可能にする、システム。
【請求項２】
前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面は、前記ほぞ（４２０、５２０、６２０、７２０、８２０、９２０、１０２０、１１２０、１３２０）の端部面（４２４、１１２４）である、請求項１記載のシステム。
【請求項３】
前記ほぞ（４２０、５２０、６２０、７２０、８２０、９２０、１０２０、１１２０、１３２０）が少なくとも１つの側面さらに備え、前記シュラウド（１３０、４３０、５３０、６３０、７３０、８３０、９３０、１０３０、１１３０、１２３０、１３３０）は前記ほぞ（４２０、５２０、６２０、７２０、８２０、９２０、１０２０、１１２０、１３２０）の少なくとも一部分（４５２）を受けるための窪みを画定する少なくとも１つの内部表面を含み、前記ほぞ（４２０、５２０、６２０、７２０、８２０、９２０、１０２０、１１２０、１３２０）の前記側面の少なくとも一部分（４５２）が前記シュラウド（１３０、４３０、５３０、６３０、７３０、８３０、９３０、１０３０、１１３０、１２３０、１３３０）の前記内部表面の少なくとも一部分（４５２）と直接係合する、請求項２記載のシステム。
【請求項４】
前記取付デバイス（１５０、４５０、５５０、６５０、７５０、８５０、９５０、１０５０、１１５０）は前記シュラウド（１３０、４３０、５３０、６３０、７３０、８３０、９３０、１０３０、１１３０、１２３０、１３３０）と接触するシュラウド（１３０、４３０、５３０、６３０、７３０、８３０、９３０、１０３０、１１３０、１２３０、１３３０）接触面を有するボルト組立体であり、前記固定力を前記シュラウド（１３０、４３０、５３０、６３０、７３０、８３０、９３０、１０３０、１１３０、１２３０、１３３０）に、前記ボルト組立体の前記シュラウド（１３０、４３０、５３０、６３０、７３０、８３０、９３０、１０３０、１１３０、１２３０、１３３０）接触面および前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面を介して提供する、請求項２記載のシステム。
【請求項５】
前記ほぞ（４２０、５２０、６２０、７２０、８２０、９２０、１０２０、１１２０、１３２０）が、多角形、長方形、楕円、および円から選択される断面形状を画定する少なくとも１つの側面を有する、請求項１記載のシステム。
【請求項６】
前記取付デバイス（１５０、４５０、５５０、６５０、７５０、８５０、９５０、１０５０、１１５０）が複数のボルト組立体であり、前記ほぞ（４２０、５２０、６２０、７２０、８２０、９２０、１０２０、１１２０、１３２０）が前記複数のボルト組立体を受けるためのねじが切られた複数の窪みを画定する、請求項１記載のシステム。
【請求項７】
ブッシング（１４０、４３０、４７０、５７０、６７０、７７０、８７０、９７０、１０７０、１３７０）をさらに備え、前記取付デバイス（１５０、４５０、５５０、６５０、７５０、８５０、９５０、１０５０、１１５０）が前記ブッシング（１４０、４３０、４７０、５７０、６７０、７７０、８７０、９７０、１０７０、１３７０）および前記シュラウド（１３０、４３０、５３０、６３０、７３０、８３０、９３０、１０３０、１１３０、１２３０、１３３０）と係合し、前記ブッシング（１４０、４３０、４７０、５７０、６７０、７７０、８７０、９７０、１０７０、１３７０）によって受けられる前記保持力が前記ブッシング（１４０、４３０、４７０、５７０、６７０、７７０、８７０、９７０、１０７０、１３７０）を介して前記シュラウド（１３０、４３０、５３０、６３０、７３０、８３０、９３０、１０３０、１１３０、１２３０、１３３０）に実質的に移される、請求項１記載のシステム。
【請求項８】
前記エーロフォイル（１２０、４１０、５１０、６１０、７１０、８１０、９１０、１０１０、１１１０、１２１０、１２１２、１２１４、１３１０）の前記遠位端（１２４、４１２）が、
前記ほぞ（４２０、５２０、６２０、７２０、８２０、９２０、１０２０、１１２０、１３２０）を囲み、前記ほぞ（４２０、５２０、６２０、７２０、８２０、９２０、１０２０、１１２０、１３２０）から窪んでおり、前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面を含む、第１の平坦面と、
前記第１の平坦面に隣接し、実質的に平行であり、そこから窪んでおり、前記シュラウド（１３０、４３０、５３０、６３０、７３０、８３０、９３０、１０３０、１１３０、１２３０、１３３０）と前記エーロフォイル（１２０、４１０、５１０、６１０、７１０、８１０、９１０、１０１０、１１１０、１２１０、１２１２、１２１４、１３１０）の前記遠位端（１２４、４１２）との隣接した部分間の前記ギャップを画定する第２の平坦面とをさら備える、請求項１記載のシステム。
【請求項９】
前記エーロフォイル（１２０、４１０、５１０、６１０、７１０、８１０、９１０、１０１０、１１１０、１２１０、１２１２、１２１４、１３１０）の前記遠位端（１２４、４１２）が、前記第１の平坦面に実質的に平行で前記第１の平坦面から窪んでいる第３の平坦面をさらに備え、前記エーロフォイル（１２０、４１０、５１０、６１０、７１０、８１０、９１０、１０１０、１１１０、１２１０、１２１２、１２１４、１３１０）と前記第３の平坦面に近接した前記シュラウド（１３０、４３０、５３０、６３０、７３０、８３０、９３０、１０３０、１１３０、１２３０、１３３０）との隣接した部分間の前記ギャップを画定し、前記第３の平坦面が前記シュラウド（１３０、４３０、５３０、６３０、７３０、８３０、９３０、１０３０、１１３０、１２３０、１３３０）に前記第２の平坦面よりも近接している、請求項８記載のシステム。
【請求項１０】
前記シュラウド（１３０、４３０、５３０、６３０、７３０、８３０、９３０、１０３０、１１３０、１２３０、１３３０）が、
前記ほぞ（４２０、５２０、６２０、７２０、８２０、９２０、１０２０、１１２０、１３２０）を収容するための開口を画定し、前記シュラウド（１３０、４３０、５３０、６３０、７３０、８３０、９３０、１０３０、１１３０、１２３０、１３３０）の前記第１の接触面を含む第１の平坦面と、
前記第１の平坦面に隣接し、実質的に平行であり、そこから窪んでおり、前記シュラウド（１３０、４３０、５３０、６３０、７３０、８３０、９３０、１０３０、１１３０、１２３０、１３３０）と前記エーロフォイル（１２０、４１０、５１０、６１０、７１０、８１０、９１０、１０１０、１１１０、１２１０、１２１２、１２１４、１３１０）との隣接した部分間の前記ギャップを画定する第２の平坦面とをさら備える、請求項１記載のシステム。
【請求項１１】
複数のエーロフォイル（１２１０、１２１２、１２１４）と、前記シュラウド（１３０、４３０、５３０、６３０、７３０、８３０、９３０、１０３０、１１３０、１２３０、１３３０）に取付けられた複数の取付デバイス（１５０、４５０、５５０、６５０、７５０、８５０、９５０、１０５０、１１５０）とをさらに備える、請求項１記載のシステム。
【請求項１２】
ベース端部（１２２）および遠位端（１２４、４１２）を有するエーロフォイル（１２０、４１０、５１０、６１０、７１０、８１０、９１０、１０１０、１１１０、１２１０、１２１２、１２１４、１３１０）を位置決めするステップであって、前記遠位端（１２４、４１２）が、シュラウド（１３０、４３０、５３０、６３０、７３０、８３０、９３０、１０３０、１１３０、１２３０、１３３０）接触面と、ほぞ（４２０、５２０、６２０、７２０、８２０、９２０、１０２０、１１２０、１３２０）とを備える、位置決めするステップと、
前記エーロフォイル（１２０、４１０、５１０、６１０、７１０、８１０、９１０、１０１０、１１１０、１２１０、１２１２、１２１４、１３１０）の前記ほぞ（４２０、５２０、６２０、７２０、８２０、９２０、１０２０、１１２０、１３２０）を、前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面と接触するように配置された第１の接触面と、固定力を受けるための第２の接触面とを有するシュラウド（１３０、４３０、５３０、６３０、７３０、８３０、９３０、１０３０、１１３０、１２３０、１３３０）内に挿入するステップと、
取付デバイス（１５０、４５０、５５０、６５０、７５０、８５０、９５０、１０５０、１１５０）を、前記シュラウド（１３０、４３０、５３０、６３０、７３０、８３０、９３０、１０３０、１１３０、１２３０、１３３０）を通して、前記エーロフォイル（１２０、４１０、５１０、６１０、７１０、８１０、９１０、１０１０、１１１０、１２１０、１２１２、１２１４、１３１０）の前記ほぞ（４２０、５２０、６２０、７２０、８２０、９２０、１０２０、１１２０、１３２０）内に挿入するステップと、
前記取付デバイス（１５０、４５０、５５０、６５０、７５０、８５０、９５０、１０５０、１１５０）からの固定力の少なくとも一部分（４５２）が、前記シュラウド（１３０、４３０、５３０、６３０、７３０、８３０、９３０、１０３０、１１３０、１２３０、１３３０）の第１の接触面を介して前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面に移され、その結果、前記エーロフォイル（１２０、４１０、５１０、６１０、７１０、８１０、９１０、１０１０、１１１０、１２１０、１２１２、１２１４、１３１０）の前記遠位端（１２４、４１２）および前記シュラウド（１３０、４３０、５３０、６３０、７３０、８３０、９３０、１０３０、１１３０、１２３０、１３３０）が、前記エーロフォイル（１２０、４１０、５１０、６１０、７１０、８１０、９１０、１０１０、１１１０、１２１０、１２１２、１２１４、１３１０）と前記シュラウド（１３０、４３０、５３０、６３０、７３０、８３０、９３０、１０３０、１１３０、１２３０、１３３０）との隣接した部分間のギャップを画定し、前記固定力からの応力を前記シュラウド（１３０、４３０、５３０、６３０、７３０、８３０、９３０、１０３０、１１３０、１２３０、１３３０）の一部分（４５２）内で解放されることが可能になるように、前記取付デバイス（１５０、４５０、５５０、６５０、７５０、８５０、９５０、１０５０、１１５０）を固定するステップとを含む方法。
【請求項１３】
前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面は、前記ほぞ（４２０、５２０、６２０、７２０、８２０、９２０、１０２０、１１２０、１３２０）の端部面（４２４、１１２４）である、請求項１２記載の方法。
【請求項１４】
ブッシング（１４０、４３０、４７０、５７０、６７０、７７０、８７０、９７０、１０７０、１３７０）を前記シュラウド（１３０、４３０、５３０、６３０、７３０、８３０、９３０、１０３０、１１３０、１２３０、１３３０）内に挿入するステップをさらに含み、前記取付デバイス（１５０、４５０、５５０、６５０、７５０、８５０、９５０、１０５０、１１５０）を挿入するステップが前記ブッシング（１４０、４３０、４７０、５７０、６７０、７７０、８７０、９７０、１０７０、１３７０）と前記シュラウド（１３０、４３０、５３０、６３０、７３０、８３０、９３０、１０３０、１１３０、１２３０、１３３０）とを係合し、前記取付デバイス（１５０、４５０、５５０、６５０、７５０、８５０、９５０、１０５０、１１５０）を固定するステップが実質的に前記ブッシング（１４０、４３０、４７０、５７０、６７０、７７０、８７０、９７０、１０７０、１３７０）を介して前記シュラウド（１３０、４３０、５３０、６３０、７３０、８３０、９３０、１０３０、１１３０、１２３０、１３３０）上に前記固定力を働かせる、請求項１２記載の方法。
【請求項１５】
前記エーロフォイル（１２０、４１０、５１０、６１０、７１０、８１０、９１０、１０１０、１１１０、１２１０、１２１２、１２１４、１３１０）の前記遠位端（１２４、４１２）が、
前記ほぞ（４２０、５２０、６２０、７２０、８２０、９２０、１０２０、１１２０、１３２０）を囲み、前記ほぞ（４２０、５２０、６２０、７２０、８２０、９２０、１０２０、１１２０、１３２０）から窪んでおり、前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面を含む、第１の平坦面と、
前記第１の平坦面に隣接し、実質的に平行であり、そこから窪んでおり、前記シュラウド（１３０、４３０、５３０、６３０、７３０、８３０、９３０、１０３０、１１３０、１２３０、１３３０）と前記エーロフォイル（１２０、４１０、５１０、６１０、７１０、８１０、９１０、１０１０、１１１０、１２１０、１２１２、１２１４、１３１０）の前記遠位端（１２４、４１２）との隣接した部分間の前記ギャップを画定する第２の平坦面とをさら備える、請求項１２記載の方法。
【発明の詳細な説明】
【技術分野】
【０００１】
本開示は、一般にターボ機械装置に関し、より詳細には、ガスタービン圧縮機内の圧縮機段用ベーンシュラウド組立体などのベーンシュラウド組立体に関する。
【背景技術】
【０００２】
ガスタービンなどのターボ機械装置は、ステータベーンと呼ばれる固定エーロフォイルおよびロータブレードまたはバケットと呼ばれる回転エーロフォイルを有する１つまたは複数のエーロフォイルの段を備える。ガスタービンは、前方部に軸方向圧縮機と、中央部に１つまたは複数の燃焼器と、後方部にタービンとを含んでもよい。通常、軸方向圧縮機は一連の段を有し、各段は、ロータブレードの列と、その後に続く固定ステータベーンの列とを備える。したがって、各段は、一般にロータブレードおよびステータベーンの対を備える。通常、ロータブレードは入口を通って軸方向圧縮機に入る流体の運動エネルギーを増大させ、ステータベーンは増大された流体の運動エネルギーを拡散を介して静的な圧力に変換する。したがって、エーロフォイルのセットは共に、流体の圧力を増大させる上で重要な役割を担う。
【０００３】
ステータベーンの場合、エーロフォイルのリングは、リングを形成するためにエーロフォイルのベースで外側ケーシングに接続され、内側シュラウドによってリング内の隣接したエーロフォイルに接続されてもよい。多くの用途では、一体ベース、ステータベーン、およびベーンシュラウドを製造することは、実際的ではない。したがって、リング内の各ステータベーンは、多くの場合一体のベース部を含めて、別々に製造され、完全なリングに組み立てられてもよい。シュラウドは、ステータベーンの内向きに対向した端部に取り付けられた１つまたは複数の独立した構成要素として製造されてもよい。いくつかの実施形態では、単一のベーンシュラウドがステータベーン毎に設けられている。別の実施形態では、複数の隣接したステータベーンが複数のベーンシュラウドに取り付けられてもよい。ステータベーン、ベーンシュラウド、および１つまたは複数の付加的な取付構成要素は、ベーンシュラウド組立体と呼ばれることがあり、付加的な取付構成要素には、ボルト、ブッシング、ワッシャ、および他の構成要素などがある。ベーンおよびシュラウドは各々、互いに係合および取付けするための特徴を有してもよい。いくつかの設計では、ベーンは、シュラウド内の適合する開口部内におよび／または開口部を通って延在するほぞ、すなわちエーロフォイルの端部からの拡張部を組み込み、さらにブッシングが、シュラウド内の開口部内に挿入され、シュラウドをベーンに取り付けるためにボルトを用いて固定される。
【０００４】
ステータベーンを組み込む軸方向圧縮機は、地上設置のガスタービン、ジェットエンジン、高速船のエンジン、小規模発電所などを含む種々の用途で使用される。同様の軸方向圧縮機は、大容量の空気分離装置、高炉空気供給、流動分解空気供給、プロパン脱水素、または他の産業用途などの、他の用途で使用され得る。
【先行技術文献】
【特許文献】
【０００５】
【特許文献１】米国特許出願公開第２０１３／０３３６７９４号明細書
【発明の概要】
【０００６】
本開示の第１の態様は、エーロフォイル、シュラウド、および取付デバイスを含むシステムを提供する。エーロフォイルは、ベース端部および遠位端を有し、この遠位端は、シュラウド接触面およびほぞを含む。シュラウドは、エーロフォイルのシュラウド接触面と接触する第１の接触面と、固定力を受けるための第２の接触面とを備える。固定力の少なくとも一部分が、第１の接触面を介してエーロフォイルへ移される。取付デバイスは、エーロフォイルに取り付けられ、シュラウドに固定力を与える。エーロフォイルの遠位端およびシュラウドは、エーロフォイルとシュラウドの隣接部分間のギャップを画定し、固定力からの応力は、シュラウドの一部分内で解放される。
【０００７】
本開示の第２の態様は、応力低減ベーンシュラウド組立体をもたらす方法を提供する。ベース端部および遠位端を有するエーロフォイルが、組立体のために配置される。エーロフォイルの遠位端は、シュラウド接触面およびほぞを含む。エーロフォイルのほぞは、エーロフォイルのシュラウド接触面と接触するように位置する第１の接触面を有するシュラウド内に挿入される。シュラウドは、固定力を受けるための第２の接触面を備える。取付デバイスは、シュラウドを通ってエーロフォイルのほぞ内に挿入される。取付デバイスは、エーロフォイルに固定され、取付デバイスからの固定力の少なくとも一部分が、シュラウドの第１の接触面を介してエーロフォイルのシュラウド接触面に移される。エーロフォイルの遠位端およびシュラウドは、エーロフォイルとシュラウドの隣接部分間のギャップを画定し、固定力からの応力は、シュラウドの一部分内で解放される。
【０００８】
本開示の例示の態様は、本明細書で説明される課題および／または議論されない他の問題を解決するために配置される。
【０００９】
本開示のこれらのおよび他の特徴は、本開示の多様な実施形態を示す添付図面に関連してなされた本開示の多様な態様についての以下の詳細な説明によりさらに容易に理解されよう。
【図面の簡単な説明】
【００１０】
【図１】例示のベーンシュラウド組立体の側面図である。
【図２】図１の例示のベーンシュラウド組立体の側面斜視図である。
【図３】図１の例示のベーンシュラウド組立体の正面斜視図である。
【図４】エーロフォイルとシュラウドとの間のほぞ、取付デバイス、および接触面付近の、図１のベーンシュラウド組立体などの例示のベーンシュラウド組立体の一部分の断面図である。
【図５】ベーンシュラウド組立体の一部分の分解斜視図である。
【図６】エーロフォイルとシュラウドとの間のほぞ、取付デバイス、および接触面付近の、別の例示のベーンシュラウド組立体の一部分の断面図である。
【図７】エーロフォイルとシュラウドとの間のほぞ、取付デバイス、および接触面付近の、別の例示のベーンシュラウド組立体の一部分の断面図である。
【図８】エーロフォイルとシュラウドとの間のほぞ、取付デバイス、および接触面付近の、別の例示のベーンシュラウド組立体の一部分の断面図である。
【図９】エーロフォイルとシュラウドとの間のほぞ、取付デバイス、および接触面付近の、別の例示のベーンシュラウド組立体の一部分の断面図である。
【図１０】エーロフォイルとシュラウドとの間のほぞ、取付デバイス、および接触面付近の、別の例示のベーンシュラウド組立体の一部分の断面図である。
【図１１】エーロフォイルとシュラウドとの間のほぞ、取付デバイス、および接触面付近の、別の例示のベーンシュラウド組立体の一部分の断面図である。
【図１２】複数のエーロフォイルを覆うシュラウドのための例示のベーンシュラウド組立体の正面斜視図である。
【図１３】複数の取付デバイスを有するベーンシュラウド組立体の一部分の分解斜視図である。
【図１４】他図で示したベーンシュラウド組立体のうちの１つなどの、ベーンシュラウド組立体の据付けまたは組立の例示の方法のフローチャートである。
【発明を実施するための形態】
【００１１】
本開示の図面は、正確な縮尺ではないことに留意されたい。図面は、本開示の典型的な態様を示すことのみを意図しており、したがって、本開示の範囲を制限するものとして考慮されるべきではない。図中、同様の番号は、図面間での同様の要素を示す。
【００１２】
ステータベーンシュラウド組立体を簡素化することの難題の一つは、シュラウドをベーンに固定する力により、応力に基づくシュラウドのひずみが潜在することである。特に、ボルトまたは同様の取付機構からの力が、面接触を介してシュラウドとベーン間で移る、シュラウドのベーンへの直接締結は、応力に基づくひずみの可能性を高める。シュラウドおよびベーンの接触面の代替の構成は、応力を低減させ、組立のし易さおよび長期信頼性を改善できる可能性がある。
【００１３】
図１〜３は、多様な視野での例示のベーンシュラウド組立体１００を示す。ベーンシュラウド組立体１００は、据付けられたベーンシュラウド組立体１００を形成するために組み立てられ、取り付けられる多様な構成要素を含む。簡単にするために、実際の据付けでは組み立てられ得るリング、隣接のエーロフォイル、および他のターボ機械構成要素は示さず、一体ベース１１０を有する単一のエーロフォイル１２０を含む、単一のベーンシュラウド組立体１００のみを図１〜３に示す。示された本実施形態では、ベーンシュラウド組立体１００は、エーロフォイル１２０のベース端部１２２につながる一体ベース１１０を有するエーロフォイル１２０を含む。シュラウド１３０は、エーロフォイル１２０の遠位端１２４に面して据付けられる。シュラウド１３０は、エーロフォイル１２０の遠位端１２４の一部を形成するほぞ（図示せず）を覆い配置され、ブッシング１４０および取付デバイス１５０によってエーロフォイル１２０に固定される。示された本実施例では、取付デバイス１５０は、ボルトおよびワッシャであるが、それだけには限らないが、ねじ、六角ねじ部品、ねじ付きキャップ（およびこれに適合するエーロフォイルからのねじ付き支柱）、締りばめプラグ、および他の留め具などの、他の取付機構が利用されてもよい。ベーンシュラウド組立体１００に使用され得るような、シュラウドをエーロフォイルに取り付けるための構成要素およびインターフェースのさらに詳細な実施例は、図４および５によって以下に示され、説明される。
【００１４】
図４は、例示のベーンシュラウド組立体４００のほぞ４２０の近傍にあってエーロフォイル４１０の遠位端４１２に隣接した部分の断面図を示し、シュラウド４３０の一部分ならびに取付デバイス４５０およびブッシング４７０を示している。図４は、図１〜３のベーンシュラウド組立体１００を組み立てるために使われ得るエーロフォイル４１０とシュラウド４３０との間の接触面の一例を示す。
【００１５】
エーロフォイル４１０は、エーロフォイルのベース（図示せず）から遠位端４１２で画定されるエーロフォイル４１０の高さに対して一般に垂直な１つまたは複数の実質的に平行な面を含む遠位端面４１４を備える。示された実施例では、遠位端面４１４は、ほぞ４２０から両側のエーロフォイル４１０の表面に窪み面４１６、４１７を含む。遠位端面４１４は、窪み面４１６、４１７上に突出し、ほぞ４２０から窪んでいるシュラウド接触面４１８、４１９をさらに含む。シュラウド接触面４１８、４１９は、遠位端面４１４とシュラウド４３０との間の接触面を提供する。接触面４１８、４１９は、シュラウド４３０からの接触力を受け、組立てられた後、所定の位置にシュラウド４３０保持する。窪み面４１６、４１７は、遠位端面４１４とシュラウド４３０との間の接触面積を減らし、遠位端面４１４とシュラウド４３０との間のギャップ４４０、４４１の片側を画定する。窪み面４１６、４１７の大部分は平坦面を画定し、接触面４１８、４１９の大部分は、勾配（図示のように）または垂直遷移での段を含み得る遷移面によって接続された、もう１つの、しかし別個の平坦面を画定する。窪み面４１６、４１７および接触面４１８、４１９は、通常、互いに平行である。いくつかの実施形態では、それらの面は実質的に平行で、平坦面間の角度差は１５度を超えない。ほぞ４２０は、遠位端面４１４から突出している。示された実施例では、ほぞ４２０は接触面４１８、４１９から突出しており、それらの接触面は窪み面４１６、４１７によってさらに取り囲まれている。ほぞ４２０は、組立体のときシュラウド４３０が覆うように配置可能な、かつ取付デバイス４５０がシュラウド４３０をエーロフォイル４１０に固定するために連結可能な、突出部を提供する。ほぞ４２０は、側面４２２、４２３端部面４２４を備える。取付窪み４２６は、ほぞ４２０内で画定され、取付デバイス４５０を受けるための端部面４２４の開口を備える。示された実施例では、取付窪み４２６は、ボルト、ねじ、または他の留め具などのねじを切られた取付デバイス４５０を収容するためにねじを切られている。なお、示された実施例では、ほぞ４２０の端部面４２４は、取付デバイス４５０からのいかなる接触力も受けないことに留意されたい。取付力は、取付デバイス４５０のねじによる保持力によって働き、取付デバイス４５０およびブッシング４７０を介してシュラウド４３０に移され、かつシュラウド４３０を介してエーロフォイル４１０の接触面４１８、４１９に移される。示された実施例では、ほぞ４２０は、シュラウド４３０の厚さよりも大きい高さを有し、その結果、ほぞ４２０は、シュラウド４３０がエーロフォイル４１０の接触面４１８、４１９に接触して据えられたとき、シュラウド４３０を通って突き出る。
【００１６】
ベーンシュラウド組立体４００は、図４にその一部が示されたシュラウド４３０を含む。シュラウド４３０は、エーロフォイル対向面４３２およびエーロフォイル対向面と反対側の遠位面４３８を備える。エーロフォイル対向面４３２は、エーロフォイル４１０の接触面４１８、４１９と面接触するエーロフォイル対向面４３２の一部分である第１の接触面４３４、４３５と、エーロフォイル４１０の接触面４１８、４１９と接触しないエーロフォイル対向面４３２の一部分である第１の非接触面４３６、４３７とを含む。第１の非接触面４３６、４３７は、ギャップ４４０、４４１の、エーロフォイル４１０の窪み面４１６、４１７から反対側の部分を画定する。シュラウド４３０は、側面４４４、４４５を有する通り穴４４２をさらに画定し、ほぞ４２０と、示された実施例では、ほぞ４２０と側面４４４、４４５の間のブッシング４７０とを収容する。通り穴４４２は、ほぞ４２０の直径よりも大きい直径を有し、その結果、シュラウド４３０をエーロフォイル４１０に面して据えるためにほぞ４２０を通り穴４４２に挿入することができる。遠位面４３８は、取付デバイス４５０からの取付力を受けるために第２の接触面４４６、４４７を提供する。示された実施例では、遠位面４３８は、ブッシング４７０との面接触のための窪んだ第２の接触面４４６、４４７を備え、それにより取付デバイス４５０からの取付力を受ける。示された実施例では、シュラウド４３０は、実質的に平坦なエーロフォイル対向面４３２を備えるが、代替の設計は、エーロフォイル対向面４３２内に窪みまたは他の特徴を含んで、第１の接触面４３４、４３５、第１の非接触面４３６、４３７、およびギャップ４４０、４４１の画定を支援してもよい。
【００１７】
取付デバイス４５０は、シュラウド４３０とエーロフォイル４１０との間の、より具体的には、シュラウド４３０の第１の接触面４３４、４３５とエーロフォイル４１０の接触面４１８、４１９との間の、機械的取付力を提供するための任意のデバイスであり得る。示された実施例では、取付デバイス４５０は、取付デバイス４５０、シュラウド４３０、およびブッシング４７０を所定の位置に保持するために、エーロフォイル４１０のほぞ４２０内の取付窪み４２６内に延在しねじにより係合されるねじを切られた部分４５２を有するボルトである。取付デバイス４５０は、ボルトの所定の位置への締付けを可能にする六角形ヘッド４５４、およびブッシング４７０を介してシュラウド４３０に取付力をもたらすためのヘッド接触面４５６を提供する。
【００１８】
ブッシング４７０は、例示のベーンシュラウド組立体４００の付加的な構成要素であり、いくつかの実施形態では、エーロフォイル４１０に面するシュラウド４３０の据付けおよび保持を改善するために使用される。ブッシング４７０は、取付デバイス４５０からの取付力を受けるために働き、その取付力をほぞ４２０よりむしろシュラウド４３０の第２の接触面４４６、４４７に向ける。ブッシング４７０は、ほぞ４２０に対してシュラウド４３０を横方向に位置決めし保持するように構成され、隣接する構成要素との間の接合部分として働くのに順応し耐摩耗性を有する材料で製造されてもよい。ブッシング４７０は、少なくとも一部分が取付デバイス４５０のヘッド接触面４５６に係合する取付けデバイス接触面４７２を備える。ブッシング４７０はさらに、シュラウド４３０の第２の接触面４４６、４４７と係合させるための取付けデバイス接触面４７２と反対側のシュラウド接触面４７４、４７５を備えてもよい。取付けデバイス接触面４７２によって受けられる接触力は、ブッシング４７０を介し、かつシュラウド接触面４７４、４７５を介してシュラウド４３０の第２の接触面４４６、４４７に移される。ブッシング４７０は、取付けデバイス接触面に平行な１つまたは複数の追加の面を含んでもよく、それは、横方向のスペーシングに関する非接触面であり、他の構成要素にいかなる接触力も移さない。たとえば、ほぞ端部対向面４７６、４７７は、ほぞ４２０の端部面４２４との間のギャップを画定し、いかなる接触力もほぞに伝えるように働かない。別の実施例として、エーロフォイル遠位面対向面４７８、４７９は、エーロフォイルの遠位端面４１４との間のギャップを画定し、いかなる接触力もエーロフォイル表面に伝えるように働かない。ブッシング４７０はまた、他の構成要素との間の横方向のスペーシングを提供し、隣接する構成要素との間の横方向の接触面および非接触面の多様な構成を含み得る。ブッシング４７０は、それを通って取付デバイス４５０が挿入され、側面４８２、４８３によって画定され得る、通り穴４８０を画定する。示された実施例では、取付デバイス４５０を収容するための側面４８２、４８３は、取付デバイス４５０の隣接する面と接触しない。ブッシング４７０はまた、側面４８４、４８５によって画定されるほぞ４２０を受けるための窪みを備えてもよい。示された実施例では、ほぞ４２０を収容する側面４８４、４８５は、ほぞ４２０の側面４２２、４２３と接触する。ブッシング４７０の外側面４８６、４８７は、シュラウド４３０の通り穴４４２内に配置されるように設計され、側面４４４、４４５の少なくとも一部分と係合し得る。ブッシング４３０の他の構成も可能であり、いくつかのベーンシュラウド組立体はブッシングを全く使用しない場合がある。
【００１９】
図５は、ベーンシュラウド組立体５００の一部分の分解斜視図である。ベーンシュラウド組立体５００は、ベーンシュラウド組立体１００および４００と同様であり、同様の据付け、保持、応力低減方法を使用してもよい。ベーンシュラウド組立体５００は、エーロフォイル５１０（遠位端のみを示す）、シュラウド５３０、取付デバイス５５０、およびブッシング５７０を含む。図５は、構成要素がエーロフォイル５１０の高さ寸法に平行な軸５９０に沿って、どのように組み立てられ得るのか、示している。シュラウド５３０は、エーロフォイル５１０のほぞ５２０を覆って嵌合する通り穴５４２を画定する。ブッシング５７０は、ほぞ５２０を囲み、シュラウド５３０内の通り穴５４２の側面と係合するように、通り穴５４２内に配置することもできる。取付デバイス５５０は、ベーンシュラウド組立体５００を組み立てるために、ブッシング５７０内の通り穴５８０を通ってエーロフォイル５１０のほぞ５２０内の取付窪み５２６内に挿入される。
【００２０】
図５はまた、実施例のベーンシュラウド組立体５００に組み込まれた（また、他の実施例のベーンシュラウド組立体に存在し得る）遠位端面５１２およびその面の特徴のさらなる視野を提供する。ほぞ５２０は、楕円の断面を有し、遠位端面５１２の隣接した部分から垂直側面５２２および並列端部面５２４を突出させている。シュラウド５３０上の接触面（図示せず）と係合させるための接触面５１８、５１９は、ほぞ５２０に直に隣接した両側に位置する。両側で直に隣接した接触面５１８、５１９は、シュラウド５３０と遠位端面５１２との間のギャップを提供するように配置された窪み面５１６、５１７である。窪み面５１６、５１７を越えて、遠位端面５１２は、エーロフォイル５１０のブレード５１１の上縁面５１４、５１５へさらに後退してもよい。接触面５１８、５１９および隣接する窪み面５１６、５１７は、ほぞ５２０を囲むほぞ肩部５１３を画定し得、シュラウド５３０のための装着構造を提供し、エーロフォイル５１０のブレード５１１につながっているが機能的に異なっている。遠位端面５１２の実質的に階段状の形状は、各々の間に遷移面（階段状または勾配をもつ）を有するいくつかの実質的な平坦面を画定する。空気力学的または他の設計的な考察によって、これらの面は、完全に平行ではないが実質的に平行であり、これは、平面間の遷移領域を除いて、隣接面の平面が隣接する平面から１５度未満ねじれた方向に向けられることを意味する。
【００２１】
図６〜１１は、シュラウドをエーロフォイルに応力を低減して取付ける多様な代替案を説明するための、ほぞ、取付デバイス、およびエーロフォイルとシュラウドとの間の接触面の近傍の多様な実施例のベーンシュラウド組立体の一部分の断面図を示している。これらの代替案は、高いレベルで説明され、図１〜５に関して上述した実施例と同じ共通の設計原理に従う。下の図面および説明での同様の構造および用語は、上でより詳細に説明した対応する構造に関する変形例として理解されよう。
【００２２】
図６では、例示のベーンシュラウド組立体６００が示され、エーロフォイル６１０のほぞ肩部６１３は、シュラウド６３０に係合させるための接触面６１８、６１９を提供する。ギャップ６４０、６４１を画定する窪み面６１６、６１７は、エーロフォイル６１０のブレードの上縁面である。ほぞ６２０、シュラウド６３０、取付デバイス６５０、およびブッシング６７０は、その他の点では図１〜５に関して上述したものと同様であってもよい。
【００２３】
図７では、例示のベーンシュラウド組立体７００が示され、エーロフォイル７１０のほぞ肩部７１３は、シュラウド７３０に係合させるための両接触面７１８、７１９を備え、窪み面７１６、７１７は、ほぞ肩部７１３の外側縁部を段状の窪みに切除することによって提供される。窪み面７１６、７１７は、シュラウド７３０とほぞ肩部７１３との間のギャップ７４０、７４１を画定する。このようにして、接触面７１８、７１９および窪み面７１６、７１７は、ほぞ肩部７１３の上面に組み込まれ、エーロフォイル７１０のブレードの上縁面の起伏形状を問わずにギャップ７４０、７４１を画定する。このことは、所与のエーロフォイル設計用に接触面７１８、７１９および窪み面７１６、７１７の相対的表面積および形状を決定する上で設計上の利点を提供し得る。ほぞ７２０、シュラウド７３０、取付デバイス７５０、およびブッシング７７０は、その他の点では図１〜５に関して上述したものと同様であってもよい。
【００２４】
図８では、例示のベーンシュラウド組立体８００が示され、エーロフォイル８１０のほぞ肩部８１３は、シュラウド８３０に係合させるための両接触面８１８、８１９を備え、窪み面８１６、８１７は、ほぞ８２０に隣接して段状の窪みに切除することによって提供される。窪み面８１６、８１７は、シュラウド８３０とほぞ肩部８１３との間のギャップ８４０、８４１を画定し、ほぞ８２０の近傍から横方向へ接触面８１８、８１９への変わり目まで延在する。接触面８１８、８１９および窪み面８１６、８１７は、ほぞ肩部８１３の上面に組み込まれ、エーロフォイル８１０のブレードの上縁面の起伏形状を問わずにギャップ８４０、８４１を画定する。さらに、ギャップ８４０、８４１は、シュラウド８３０とエーロフォイル８１０のブレードの上縁面との間の空間から分離し、隔離されている。ほぞ８２０、シュラウド８３０、取付デバイス８５０、およびブッシング８７０は、その他の点では図１〜５に関して上述したものと同様であってよい。
【００２５】
図９では、例示のベーンシュラウド組立体９００が示され、エーロフォイル９１０のほぞ肩部９１３は、両接触面９１８、９１９および非接触面９１６、９１７を備え、しかしこの差異を生む遷移の特徴が、シュラウド９３０のエーロフォイル対向面９３２に組み込まれる。より具体的には、シュラウド９３０は、接触面９３４、９３５を備え、窪み面９３６、９３７は、シュラウド９３０の外側縁部へ延在する段状の窪みに切除することによって提供される。窪み面９３６、９３７は、シュラウド９３０とほぞ肩部９１３との間のギャップ９４０、９４１を画定する。この構成では、接触面９１８、９１９および非接触面９１６、９１７は、ほぞ肩部９１３上の連続で共面の面を形成し、ギャップ９４０、９４１は、ほぞ肩部９１３の変更なしに、またはエーロフォイル９１０のブレードの上縁面の起伏形状の変更なしに画定され得る。ほぞ９２０、取付デバイス９５０、およびブッシング９７０は、その他の点では図１〜５に関して上述したものと同様であってよい。
【００２６】
図１０では、例示のベーンシュラウド組立体１０００が示され、エーロフォイル１０１０のほぞ肩部１０１３は、両接触面１０１８、１０１９および非接触面１０１６、１０１７を備え、しかしこの差異を生む遷移の特徴が、シュラウド１０３０のエーロフォイル対向面１０３２に組み込まれる。より具体的には、シュラウド１０３０は、接触面１０３４、１０３５を備え、窪み面１０３６、１０３７は、シュラウド１０３０の通り穴１０４２に向かって延在する段状の窪みに切除することによって提供される。窪み面１０３６、１０３７は、ほぞ１０２０およびシュラウド１０３０の通り穴１０４２の近傍のシュラウド１０３０とほぞ肩部１０１３との間のギャップ１０４０、１０４１を画定する。図９の実施例でのように、接触面１０１８、１０１９および非接触面１０１６、１０１７は、ほぞ肩部１０１３上の連続で共面の面を形成し、ギャップ１０４０、１０４１は、ほぞ肩部１０１３の変更、またはエーロフォイル１０１０のブレードの上縁面の起伏形状の変更なしに画定され得る。ほぞ１０２０、取付デバイス１０５０、およびブッシング１０７０は、その他の点では図１〜５に関して上述したものと同様であってよい。
【００２７】
図１１では、例示のベーンシュラウド組立体１１００が示され、ほぞ肩部およびブッシングが除去されている。接触面１１１８、１１１９は、ほぞ１１２０の端部面１１２４によって提供され、窪み面１１１６、１１１７は、エーロフォイル１１１０のブレードの上縁面によって提供される。シュラウド１１３０のほぞ接触面１１３４、１１３５は、ほぞ１１２０を収容するための通り穴１１４２の一部分として非接触面１１３６、１１３７から窪んでいる。ギャップ１１４０、１１４１は、エーロフォイル１１１０の窪み面１１１６、１１１７とシュラウド１１３０の非接触面１１３６、１１３７との間で画定される。この構成では、シュラウド１１３０は、取付デバイス１１５０からの取付力を、直接取付接触面１１４６、１１４７を介して受け、関連する応力は、ほぞ接触面１１３４、１１３５と取付接触面１１４６、１１４７との間の集中し、したがってシュラウド１１３０の残部分上の応力を開放する。取付デバイス１１５０は、その他の点では図１〜５に関して上述したものと同様であってよい。
【００２８】
図１２は、複数のエーロフォイル１２１０、１２１２、１２１４を覆うシュラウド１２３０のための例示のベーンシュラウド組立体１２００の正面斜視図である。図示のように、取付構成要素は、シュラウド１２３０の遠位面上に見える取付デバイス１２５０、１２５２、１２５４およびブッシング１２７０、１２７２、１２７４を備える各エーロフォイル１２１０、１２１２、１２１４のために繰り返される。同様に、ほぞ、接触面およびギャップは、図中では見えないが、各エーロフォイル１２１０、１２１２、１２１４に渡って繰り返される。共通のシュラウド１２３０を使用することの他に、本構成は、その他の点では１つまたは複数の上記の実施例を用いて説明した構成要素および据付けの特徴を利用してもよい。
【００２９】
図１３は、単一のエーロフォイル１３１０とシュラウド１３３０との間の複数の取付デバイス１３５０、１３５２を有するベーンシュラウド組立体１３００の一部分の分解斜視図である。エーロフォイル１３１０は、２つの取付窪み１３２２、１３２４を画定する細長いほぞ１３２０を備える。シュラウド１３３０は、同様に細長い通り穴１３３２を備える。ベーンシュラウド組立体１３００は、細長いほぞ１３２０およびシュラウド１３３０の細長い通り穴１３３２に適合する細長いブッシング１３７０を使用する。細長いブッシング１３７０は、２つの取付窪み１３２２、１３２４に位置合わせされた２つの通り穴１３７２、１３７４を備える。取付デバイス１３５０、１３５２は、２つの通り穴１３７２、１３７４を通って２つの取付窪み１３２２、１３２４内に挿入され、エーロフォイル１３１０上にシュラウド１３３０を据付けるための取付力を提供することができる。変更された形状および複数の取付デバイス１３５０、１３５２の他に、本構成は、その他の点では１つまたは複数の上記の実施例を用いて説明した構成要素および据付けの特徴を利用してもよい。
【００３０】
図１４は、上述したベーンシュラウド組立体のうちの１つなどのベーンシュラウド組立体の据付けまたは組立の、一例の方法１４００を示す。ステップ１４１０では、エーロフォイルが、ベーンシュラウド組立体の据付けおよび組立のために位置決めされる。たとえば、エーロフォイルは、リングまたはケーシングに装着されてもよく、あるいはシュラウドに取付けるための一時的な固定具に配置されてもよい。本ステップは、特に複数のエーロフォイルに単一のシュラウドが使われているとき、複数のエーロフォイルを位置決めするステップを含んでもよい。ステップ１４２０では、エーロフォイルのほぞが、シュラウド内に挿入される、またはシュラウドが、エーロフォイルのほぞを覆って配置される。場合によっては、このステップは、複数のエーロフォイルのほぞを覆うシュラウドを位置決めするステップを含んでもよい。ステップ１４３０では、ブッシングが、シュラウド内に挿入され、その結果、それがシュラウドの位置を定め、ほぞとシュラウドとの間の接触面を提供する。なお、全ての上述のベーンシュラウド組立体の構成が、ブッシングを利用しているのではなく、このステップはいくつかの構成のための任意選択のステップとしてみなすことができる。ステップ１４４０では、取付デバイスは、ブッシングおよびシュラウドを通ってエーロフォイル内に挿入される。上述のように、ブッシングおよびシュラウドは、取付デバイスがほぞの端部の取付窪み内で固定されることを可能にする通り穴を備える。さらに、いくつかの構成は、複数の取付デバイスを備え得る。ステップ１４５０では、取付デバイスは、取付力をほぞの取付窪みからブッシングおよびシュラウドを介してシュラウドとエーロフォイルとの間の接触面にもたらすために、固定される。たとえば、取付デバイスは、ボルトなどのねじを切られた構成要素であってもよく、回転によって締め付けられ、取付デバイスをブッシング、シュラウド、およびエーロフォイルに対して固定する。固定された後、取付力は、シュラウドとエーロフォイルとの間の接触面上に集中させられ、一方シュラウドとエーロフォイルとの間以外にある１つまたは複数のギャップは、シュラウドのその部分の応力を低減する。
【００３１】
前記の図面は、本開示のいくつかの実施形態による、いくつかの関連する動作処理を示す。なお、いくつかの代替の実施態様では、説明した動作が、関連する動作によっては、説明した順序からはずれて発生し、あるいは、実質的に並行してまたは逆の順序で実際に実行され得る。
【００３２】
本明細書で使用された専門用語は、具体的な実施形態を説明する目的のためだけのものであり、本開示を限定することを意図するものではない。本明細書で使用したように、単数形の「ａ」、「ａｎ」、および「ｔｈｅ」は、文脈が明確にそうでないこと示さない限り、複数形も同様に含めることを意図する。さらに、用語「ｃｏｍｐｒｉｓｅｓ（備える、含む）」および／または「ｃｏｍｐｒｉｓｉｎｇ（備える、含む）」は、本明細書中で使用されているとき、具体的な特徴、整数、ステップ、動作、要素、および／または構成要素の存在を特定するが、１つまたは複数の他の特徴、整数、ステップ、動作、要素、構成要素、および／またはそれらの組み合わせの存在または付加を排除しないことを理解されたい。
【００３３】
下記の特許請求の範囲での機能的要素を付加された、関連する構造、材料、行為、および全ての手段またはステップの等価物は、具体的に主張された他の特許請求要素と組み合わされた機能を実行するための、任意の構造、材料、または行為を含むことが意図される。本開示の説明は、図解および説明を目的として提示されたものであり、網羅的であること、または開示された形式での本開示に限定することを意図するものではない。本開示の技術的範囲および技術思想から逸脱することない多くの変更例および変形形態が、当業者には明らかであろう。本実施形態は、本開示の原理および実際的用途を最もよく説明するために、かつ、当業者が、意図された具体的な使用に適合させる多様な変更を伴う多様な実施形態の本開示を理解できるようにするために、選択され説明された。
【００３４】
最後に、代表的な実施態様を以下に示す。
［実施態様１］
ベース端部（１２２）および遠位端（１２４、４１２）を有するエーロフォイル（１２０、４１０、５１０、６１０、７１０、８１０、９１０、１０１０、１１１０、１２１０、１２１２、１２１４、１３１０）であって、前記遠位端（１２４、４１２）が、シュラウド（１３０、４３０、５３０、６３０、７３０、８３０、９３０、１０３０、１１３０、１２３０、１３３０）接触面およびほぞ（４２０、５２０、６２０、７２０、８２０、９２０、１０２０、１１２０、１３２０）を備えるエーロフォイルと、
前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面と接触する第１の接触面と、固定力を受けるための第２の接触面とを有するシュラウド（１３０、４３０、５３０、６３０、７３０、８３０、９３０、１０３０、１１３０、１２３０、１３３０）であって、前記固定力の少なくとも一部分（４５２）が前記第１の接触面を介して前記エーロフォイル（１２０、４１０、５１０、６１０、７１０、８１０、９１０、１０１０、１１１０、１２１０、１２１２、１２１４、１３１０）に移されるシュラウド（１３０、４３０、５３０、６３０、７３０、８３０、９３０、１０３０、１１３０、１２３０、１３３０）と、
前記シュラウド（１３０、４３０、５３０、６３０、７３０、８３０、９３０、１０３０、１１３０、１２３０、１３３０）に前記エーロフォイル（１２０、４１０、５１０、６１０、７１０、８１０、９１０、１０１０、１１１０、１２１０、１２１２、１２１４、１３１０）を取付け、前記固定力を提供する取付デバイス（１５０、４５０、５５０、６５０、７５０、８５０、９５０、１０５０、１１５０）とを備え、
前記エーロフォイル（１２０、４１０、５１０、６１０、７１０、８１０、９１０、１０１０、１１１０、１２１０、１２１２、１２１４、１３１０）の前記遠位端（１２４、４１２）および前記シュラウド（１３０、４３０、５３０、６３０、７３０、８３０、９３０、１０３０、１１３０、１２３０、１３３０）は、前記エーロフォイル（１２０、４１０、５１０、６１０、７１０、８１０、９１０、１０１０、１１１０、１２１０、１２１２、１２１４、１３１０）と前記シュラウド（１３０、４３０、５３０、６３０、７３０、８３０、９３０、１０３０、１１３０、１２３０、１３３０）との隣接した部分間のギャップを画定し、前記固定力からの応力が前記シュラウド（１３０、４３０、５３０、６３０、７３０、８３０、９３０、１０３０、１１３０、１２３０、１３３０）の一部分（４５２）内で解放されることを可能にする、システム。
［実施態様２］
前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面は、前記ほぞ（４２０、５２０、６２０、７２０、８２０、９２０、１０２０、１１２０、１３２０）の端部面（４２４、１１２４）である、実施態様１に記載のシステム。
［実施態様３］
前記ほぞ（４２０、５２０、６２０、７２０、８２０、９２０、１０２０、１１２０、１３２０）が少なくとも１つの側面さらに備え、前記シュラウド（１３０、４３０、５３０、６３０、７３０、８３０、９３０、１０３０、１１３０、１２３０、１３３０）は前記ほぞ（４２０、５２０、６２０、７２０、８２０、９２０、１０２０、１１２０、１３２０）の少なくとも一部分（４５２）を受けるための窪みを画定する少なくとも１つの内部表面を含み、前記ほぞ（４２０、５２０、６２０、７２０、８２０、９２０、１０２０、１１２０、１３２０）の前記側面の少なくとも一部分（４５２）が前記シュラウド（１３０、４３０、５３０、６３０、７３０、８３０、９３０、１０３０、１１３０、１２３０、１３３０）の前記内部表面の少なくとも一部分（４５２）と直接係合する、実施態様２に記載のシステム。
［実施態様４］
前記取付デバイス（１５０、４５０、５５０、６５０、７５０、８５０、９５０、１０５０、１１５０）は前記シュラウド（１３０、４３０、５３０、６３０、７３０、８３０、９３０、１０３０、１１３０、１２３０、１３３０）と接触するシュラウド（１３０、４３０、５３０、６３０、７３０、８３０、９３０、１０３０、１１３０、１２３０、１３３０）接触面を有するボルト組立体であり、前記固定力を前記シュラウド（１３０、４３０、５３０、６３０、７３０、８３０、９３０、１０３０、１１３０、１２３０、１３３０）に、前記ボルト組立体の前記シュラウド（１３０、４３０、５３０、６３０、７３０、８３０、９３０、１０３０、１１３０、１２３０、１３３０）接触面および前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面を介して提供する、実施態様２に記載のシステム。
［実施態様５］
前記ほぞ（４２０、５２０、６２０、７２０、８２０、９２０、１０２０、１１２０、１３２０）が、多角形、長方形、楕円、および円から選択される断面形状を画定する少なくとも１つの側面を有する、実施態様１に記載のシステム。
［実施態様６］
前記取付デバイス（１５０、４５０、５５０、６５０、７５０、８５０、９５０、１０５０、１１５０）が複数のボルト組立体であり、前記ほぞ（４２０、５２０、６２０、７２０、８２０、９２０、１０２０、１１２０、１３２０）が前記複数のボルト組立体を受けるためのねじが切られた複数の窪みを画定する、実施態様１に記載のシステム。
［実施態様７］
ブッシング（１４０、４３０、４７０、５７０、６７０、７７０、８７０、９７０、１０７０、１３７０）をさらに備え、前記取付デバイス（１５０、４５０、５５０、６５０、７５０、８５０、９５０、１０５０、１１５０）が前記ブッシング（１４０、４３０、４７０、５７０、６７０、７７０、８７０、９７０、１０７０、１３７０）および前記シュラウド（１３０、４３０、５３０、６３０、７３０、８３０、９３０、１０３０、１１３０、１２３０、１３３０）と係合し、前記ブッシング（１４０、４３０、４７０、５７０、６７０、７７０、８７０、９７０、１０７０、１３７０）によって受けられる前記保持力が前記ブッシング（１４０、４３０、４７０、５７０、６７０、７７０、８７０、９７０、１０７０、１３７０）を介して前記シュラウド（１３０、４３０、５３０、６３０、７３０、８３０、９３０、１０３０、１１３０、１２３０、１３３０）に実質的に移される、実施態様１に記載のシステム。
［実施態様８］
前記エーロフォイル（１２０、４１０、５１０、６１０、７１０、８１０、９１０、１０１０、１１１０、１２１０、１２１２、１２１４、１３１０）の前記遠位端（１２４、４１２）が、
前記ほぞ（４２０、５２０、６２０、７２０、８２０、９２０、１０２０、１１２０、１３２０）を囲み、前記ほぞ（４２０、５２０、６２０、７２０、８２０、９２０、１０２０、１１２０、１３２０）から窪んでおり、前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面を含む、第１の平坦面と、
前記第１の平坦面に隣接し、実質的に平行であり、そこから窪んでおり、前記シュラウド（１３０、４３０、５３０、６３０、７３０、８３０、９３０、１０３０、１１３０、１２３０、１３３０）と前記エーロフォイル（１２０、４１０、５１０、６１０、７１０、８１０、９１０、１０１０、１１１０、１２１０、１２１２、１２１４、１３１０）の前記遠位端（１２４、４１２）との隣接した部分間の前記ギャップを画定する第２の平坦面とをさら備える、実施態様１に記載のシステム。
［実施態様９］
前記エーロフォイル（１２０、４１０、５１０、６１０、７１０、８１０、９１０、１０１０、１１１０、１２１０、１２１２、１２１４、１３１０）の前記遠位端（１２４、４１２）が、前記第１の平坦面に実質的に平行で前記第１の平坦面から窪んでいる第３の平坦面をさらに備え、前記エーロフォイル（１２０、４１０、５１０、６１０、７１０、８１０、９１０、１０１０、１１１０、１２１０、１２１２、１２１４、１３１０）と前記第３の平坦面に近接した前記シュラウド（１３０、４３０、５３０、６３０、７３０、８３０、９３０、１０３０、１１３０、１２３０、１３３０）との隣接した部分間の前記ギャップを画定し、前記第３の平坦面が前記シュラウド（１３０、４３０、５３０、６３０、７３０、８３０、９３０、１０３０、１１３０、１２３０、１３３０）に前記第２の平坦面よりも近接している、実施態様８に記載のシステム。
［実施態様１０］
前記シュラウド（１３０、４３０、５３０、６３０、７３０、８３０、９３０、１０３０、１１３０、１２３０、１３３０）が、
前記ほぞ（４２０、５２０、６２０、７２０、８２０、９２０、１０２０、１１２０、１３２０）を収容するための開口を画定し、前記シュラウド（１３０、４３０、５３０、６３０、７３０、８３０、９３０、１０３０、１１３０、１２３０、１３３０）の前記第１の接触面を含む第１の平坦面と、
前記第１の平坦面に隣接し、実質的に平行であり、そこから窪んでおり、前記シュラウド（１３０、４３０、５３０、６３０、７３０、８３０、９３０、１０３０、１１３０、１２３０、１３３０）と前記エーロフォイル（１２０、４１０、５１０、６１０、７１０、８１０、９１０、１０１０、１１１０、１２１０、１２１２、１２１４、１３１０）との隣接した部分間の前記ギャップを画定する第２の平坦面とをさら備える、実施態様１に記載のシステム。
［実施態様１１］
複数のエーロフォイル（１２１０、１２１２、１２１４）と、前記シュラウド（１３０、４３０、５３０、６３０、７３０、８３０、９３０、１０３０、１１３０、１２３０、１３３０）に取付けられた複数の取付デバイス（１５０、４５０、５５０、６５０、７５０、８５０、９５０、１０５０、１１５０）とをさらに備える、実施態様１に記載のシステム。
［実施態様１２］
ベース端部（１２２）および遠位端（１２４、４１２）を有するエーロフォイル（１２０、４１０、５１０、６１０、７１０、８１０、９１０、１０１０、１１１０、１２１０、１２１２、１２１４、１３１０）を位置決めするステップであって、前記遠位端（１２４、４１２）が、シュラウド（１３０、４３０、５３０、６３０、７３０、８３０、９３０、１０３０、１１３０、１２３０、１３３０）接触面と、ほぞ（４２０、５２０、６２０、７２０、８２０、９２０、１０２０、１１２０、１３２０）とを備える、位置決めするステップと、
前記エーロフォイル（１２０、４１０、５１０、６１０、７１０、８１０、９１０、１０１０、１１１０、１２１０、１２１２、１２１４、１３１０）の前記ほぞ（４２０、５２０、６２０、７２０、８２０、９２０、１０２０、１１２０、１３２０）を、前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面と接触するように配置された第１の接触面と、固定力を受けるための第２の接触面とを有するシュラウド（１３０、４３０、５３０、６３０、７３０、８３０、９３０、１０３０、１１３０、１２３０、１３３０）内に挿入するステップと、
取付デバイス（１５０、４５０、５５０、６５０、７５０、８５０、９５０、１０５０、１１５０）を、前記シュラウド（１３０、４３０、５３０、６３０、７３０、８３０、９３０、１０３０、１１３０、１２３０、１３３０）を通して、前記エーロフォイル（１２０、４１０、５１０、６１０、７１０、８１０、９１０、１０１０、１１１０、１２１０、１２１２、１２１４、１３１０）の前記ほぞ（４２０、５２０、６２０、７２０、８２０、９２０、１０２０、１１２０、１３２０）内に挿入するステップと、
前記取付デバイス（１５０、４５０、５５０、６５０、７５０、８５０、９５０、１０５０、１１５０）からの固定力が、前記シュラウド（１３０、４３０、５３０、６３０、７３０、８３０、９３０、１０３０、１１３０、１２３０、１３３０）の前記第１の接触面を介して前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面に移され、その結果、前記エーロフォイル（１２０、４１０、５１０、６１０、７１０、８１０、９１０、１０１０、１１１０、１２１０、１２１２、１２１４、１３１０）の前記遠位端（１２４、４１２）および前記シュラウド（１３０、４３０、５３０、６３０、７３０、８３０、９３０、１０３０、１１３０、１２３０、１３３０）が、前記エーロフォイル（１２０、４１０、５１０、６１０、７１０、８１０、９１０、１０１０、１１１０、１２１０、１２１２、１２１４、１３１０）と前記シュラウド（１３０、４３０、５３０、６３０、７３０、８３０、９３０、１０３０、１１３０、１２３０、１３３０）との隣接した部分間のギャップを画定し、前記固定力からの応力を前記シュラウド（１３０、４３０、５３０、６３０、７３０、８３０、９３０、１０３０、１１３０、１２３０、１３３０）の一部分（４５２）内で解放されることが可能になるように、前記取付デバイス（１５０、４５０、５５０、６５０、７５０、８５０、９５０、１０５０、１１５０）を固定するステップとを含む方法。
［実施態様１３］
前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面は、前記ほぞ（４２０、５２０、６２０、７２０、８２０、９２０、１０２０、１１２０、１３２０）の端部面（４２４、１１２４）である、実施態様１２に記載の方法。
［実施態様１４］
前記ほぞ（４２０、５２０、６２０、７２０、８２０、９２０、１０２０、１１２０、１３２０）が少なくとも１つの側面さらに備え、前記シュラウド（１３０、４３０、５３０、６３０、７３０、８３０、９３０、１０３０、１１３０、１２３０、１３３０）は前記ほぞ（４２０、５２０、６２０、７２０、８２０、９２０、１０２０、１１２０、１３２０）の少なくとも一部分（４５２）が内に挿入される窪みを画定する少なくとも１つの内部表面を含み、前記ほぞ（４２０、５２０、６２０、７２０、８２０、９２０、１０２０、１１２０、１３２０）の前記側面の少なくとも一部分（４５２）が前記シュラウド（１３０、４３０、５３０、６３０、７３０、８３０、９３０、１０３０、１１３０、１２３０、１３３０）の前記内部表面の少なくとも一部分（４５２）と直接係合する、実施態様１３に記載の方法。
［実施態様１５］
前記取付デバイス（１５０、４５０、５５０、６５０、７５０、８５０、９５０、１０５０、１１５０）は前記シュラウド（１３０、４３０、５３０、６３０、７３０、８３０、９３０、１０３０、１１３０、１２３０、１３３０）と接触するシュラウド（１３０、４３０、５３０、６３０、７３０、８３０、９３０、１０３０、１１３０、１２３０、１３３０）接触面を有するボルト組立体であり、固定するステップが、前記固定力を前記シュラウド（１３０、４３０、５３０、６３０、７３０、８３０、９３０、１０３０、１１３０、１２３０、１３３０）に、前記ボルト組立体の前記シュラウド（１３０、４３０、５３０、６３０、７３０、８３０、９３０、１０３０、１１３０、１２３０、１３３０）接触面および前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面を介して提供するために前記ボルト組立体を締付けるステップを含む、実施態様１３に記載の方法。
［実施態様１６］
前記ほぞ（４２０、５２０、６２０、７２０、８２０、９２０、１０２０、１１２０、１３２０）が、多角形、長方形、楕円、および円から選択される断面形状を画定する少なくとも１つの側面を有する、実施態様１２に記載の方法。
［実施態様１７］
前記取付デバイス（１５０、４５０、５５０、６５０、７５０、８５０、９５０、１０５０、１１５０）が複数のボルト組立体であり、前記ほぞ（４２０、５２０、６２０、７２０、８２０、９２０、１０２０、１１２０、１３２０）が前記複数のボルト組立体を挿入し固定するためのねじが切られた複数の窪みを画定する、実施態様１２に記載の方法。
［実施態様１８］
ブッシング（１４０、４３０、４７０、５７０、６７０、７７０、８７０、９７０、１０７０、１３７０）を前記シュラウド（１３０、４３０、５３０、６３０、７３０、８３０、９３０、１０３０、１１３０、１２３０、１３３０）内に挿入するステップをさらに含み、前記取付デバイス（１５０、４５０、５５０、６５０、７５０、８５０、９５０、１０５０、１１５０）を挿入するステップが前記ブッシング（１４０、４３０、４７０、５７０、６７０、７７０、８７０、９７０、１０７０、１３７０）と前記シュラウド（１３０、４３０、５３０、６３０、７３０、８３０、９３０、１０３０、１１３０、１２３０、１３３０）とを係合し、前記取付デバイス（１５０、４５０、５５０、６５０、７５０、８５０、９５０、１０５０、１１５０）を固定するステップが実質的に前記ブッシング（１４０、４３０、４７０、５７０、６７０、７７０、８７０、９７０、１０７０、１３７０）を介して前記シュラウド（１３０、４３０、５３０、６３０、７３０、８３０、９３０、１０３０、１１３０、１２３０、１３３０）上に前記固定力を働かせる、実施態様１２に記載の方法。
［実施態様１９］
前記エーロフォイル（１２０、４１０、５１０、６１０、７１０、８１０、９１０、１０１０、１１１０、１２１０、１２１２、１２１４、１３１０）の前記遠位端（１２４、４１２）が、
前記ほぞ（４２０、５２０、６２０、７２０、８２０、９２０、１０２０、１１２０、１３２０）を囲み、前記ほぞ（４２０、５２０、６２０、７２０、８２０、９２０、１０２０、１１２０、１３２０）から窪んでおり、前記エーロフォイル（１２０、４１０、５１０、６１０、７１０、８１０、９１０、１０１０、１１１０、１２１０、１２１２、１２１４、１３１０）の前記シュラウド（１３０、４３０、５３０、６３０、７３０、８３０、９３０、１０３０、１１３０、１２３０、１３３０）接触面を含む、第１の平坦面と、
前記第１の平坦面に隣接し、実質的に平行であり、そこから窪んでおり、前記シュラウド（１３０、４３０、５３０、６３０、７３０、８３０、９３０、１０３０、１１３０、１２３０、１３３０）と前記エーロフォイル（１２０、４１０、５１０、６１０、７１０、８１０、９１０、１０１０、１１１０、１２１０、１２１２、１２１４、１３１０）の前記遠位端（１２４、４１２）との隣接した部分間の前記ギャップを画定する第２の平坦面とをさら備える、実施態様１２に記載の方法。
［実施態様２０］
前記エーロフォイル（１２０、４１０、５１０、６１０、７１０、８１０、９１０、１０１０、１１１０、１２１０、１２１２、１２１４、１３１０）の前記遠位端（１２４、４１２）が、前記第１の平坦面に実質的に平行で前記第１の平坦面から窪んでいる第３の平坦面をさらに備え、前記エーロフォイル（１２０、４１０、５１０、６１０、７１０、８１０、９１０、１０１０、１１１０、１２１０、１２１２、１２１４、１３１０）と前記第３の平坦面に近接した前記シュラウド（１３０、４３０、５３０、６３０、７３０、８３０、９３０、１０３０、１１３０、１２３０、１３３０）との隣接した部分間の前記ギャップを画定し、前記取付デバイス（１５０、４５０、５５０、６５０、７５０、８５０、９５０、１０５０、１１５０）を固定した後は、前記第３の平坦面が前記シュラウド（１３０、４３０、５３０、６３０、７３０、８３０、９３０、１０３０、１１３０、１２３０、１３３０）に前記第２の平坦面よりも近接している、実施態様１９に記載の方法。
【符号の説明】
【００３５】
１００  ベーンシュラウド組立体
１００  一体ベース
１２０  エーロフォイル
１２２  ベース端部
１２４  遠位端
１３０  シュラウド
１４０  ブッシング
１５０  取付デバイス
４００  ベーンシュラウド組立体
４１０  エーロフォイル
４１２  遠位端
４１４  遠位端面
４１６  窪み面
４１７  窪み面
４１８  接触面
４１９  接触面
４２０  ほぞ
４２２  側面
４２３  側面
４２４  端部面
４２６  取付窪み
４３０  シュラウド
４３２  エーロフォイル対向面
４３４  第１の接触面
４３５  第１の接触面
４３６  第１の非接触面
４３７  第１の非接触面
４３８  遠位面
４４０  ギャップ
４４１  ギャップ
４４２  通り穴
４４４  側面
４４５  側面
４４６  第２の接触面
４４７  第２の接触面
４５０  取付デバイス
４５２  部分
４５４  六角形ヘッド
４５６  ヘッド接触面
４７０  ブッシング
４７２  取付デバイス接触面
４７４  シュラウド接触面
４７５  シュラウド接触面
４７６  ほぞ端部対向面
４７７  ほぞ端部対向面
４７８  エーロフォイル遠位面対向面
４７９  エーロフォイル遠位面対向面
４８０  通り穴
４８２  側面
４８３  側面
４８４  側面
４８５  側面
４８６  外側面
４８７  外側面
５００  ベーンシュラウド組立体
５１０  エーロフォイル
５１１  ブレード
５１２  遠位端面
５１３  ほぞ肩部
５１４  上縁面
５１５  上縁面
５１６  窪み面
５１７  窪み面
５１８  接触面
５１９  接触面
５２０  ほぞ
５２２  垂直側面
５２４  並列端部面
５２６  取付窪み
５３０  シュラウド
５４２  通り穴
５５０  取付デバイス
５７０  ブッシング
５８０  通り穴
５９０  軸
６００  例示のベーンシュラウド組立体
６１０  エーロフォイル
６１３  ほぞ肩部
６１６  窪み面
６１７  窪み面
６１８  接触面
６１９  接触面
６２０  ほぞ
６３０  シュラウド
６４０  ギャップ
６４１  ギャップ
６５０  取付デバイス
６７０  ブッシング
７００  例示のベーンシュラウド組立体
７１０  エーロフォイル
７１３  ほぞ肩部
７１６  窪み面
７１７  窪み面
７１８  接触面
７１９  接触面
７２０  ほぞ
７３０  シュラウド
７４０  ギャップ
７４１  ギャップ
７５０  取付デバイス
７７０  ブッシング
８００  例示のベーンシュラウド組立体
８１０  エーロフォイル
８１３  ほぞ肩部
８１６  窪み面
８１７  窪み面
８１８  接触面
８１９  接触面
８２０  ほぞ
８３０  シュラウド
８４０  ギャップ
８４１  ギャップ
８５０  取付デバイス
８７０  ブッシング
９００  例示のベーンシュラウド組立体
９１０  エーロフォイル
９１３  ほぞ肩部
９１６  非接触面
９１７  非接触面
９１８  接触面
９１９  接触面
９２０  ほぞ
９３０  シュラウド
９３２  エーロフォイル対向面
９３４  接触面
９３５  接触面
９３６  窪み面
９３７  窪み面
９４０  ギャップ
９４１  ギャップ
９５０  取付デバイス
９７０  ブッシング
１０００  例示のベーンシュラウド組立体
１０１０  エーロフォイル
１０１３  ほぞ肩部
１０１６  非接触面
１０１７  非接触面
１０１８  接触面
１０１９  接触面
１０２０  ほぞ
１０３０  シュラウド
１０３２  エーロフォイル対向面
１０３４  接触面
１０３５  接触面
１０３６  窪み面
１０３７  窪み面
１０４０  ギャップ
１０４１  ギャップ
１０４２  通り穴
１０５０  取付デバイス
１０７０  ブッシング
１１００  例示のベーンシュラウド組立体
１１１０  エーロフォイル
１１１６  窪み面
１１１７  窪み面
１１１８  接触面
１１１９  接触面
１１２０  ほぞ
１１２４  端部面
１１３０  シュラウド
１１３４  ほぞ接触面
１１３５  ほぞ接触面
１１３６  非接触面
１１３７  非接触面
１１４０  ギャップ
１１４１  ギャップ
１１４２  通り穴
１１４６  取付接触面
１１４７  取付接触面
１１５０  取付デバイス
１２００  例示のベーンシュラウド組立体
１２１０  エーロフォイル
１２１２  エーロフォイル
１２１４  エーロフォイル
１２３０  シュラウド
１２５０  取付デバイス
１２５２  取付デバイス
１２５４  取付デバイス
１２７０  ブッシング
１２７２  ブッシング
１２７４  ブッシング
１３００  ベーンシュラウド組立体
１３１０  エーロフォイル
１３２０  ほぞ
１３２２  取付窪み
１３２４  取付窪み
１３３０  シュラウド
１３３２  通り穴
１３５０  取付デバイス
１３５２  取付デバイス
１３７０  ブッシング
１３７２  穴
１３７４  穴
１４００  例示の方法
１４１０  ステップ
１４２０  ステップ
１４３０  ステップ
１４４０  ステップ
１４５０  ステップ
【図１】
2018021549.tif 000003
【図２】
2018021549.tif 000004
【図３】
2018021549.tif 000005
【図４】
2018021549.tif 000006
【図５】
2018021549.tif 000007
【図６】
2018021549.tif 000008
【図７】
2018021549.tif 000009
【図８】
2018021549.tif 000010
【図９】
2018021549.tif 000011
【図１０】
2018021549.tif 000012
【図１１】
2018021549.tif 000013
【図１２】
2018021549.tif 000014
【図１３】
2018021549.tif 000015
【図１４】
2018021549.tif 000016
【外国語明細書】
2018021549000001.pdf